(57)【特許請求の範囲】
【請求項１】
添加剤の供給源を収容し、ベース液体がベース液体容器から流れるときに、ユーザがベース液体と混合されるべき添加剤の量を調整することを可能にする添加剤カートリッジであって、
前記ベース液体が通過するのを許容するように画定されたベース液体流路を有するカートリッジ基部であって、前記ベース液体容器の口部と密封係合される容器キャップに固定して保持するための保持カラーを含む、前記カートリッジ基部と、
前記添加剤の供給源を収容するための前記カートリッジ基部上の添加剤リザーバーであって、前記カートリッジ基部により当該添加剤リザーバーから前記ベース液体流路への添加剤の流れを許容する添加剤流路が画定される、前記添加剤リザーバーと、
前記カートリッジ基部と協働し、前記カートリッジ基部内に画定された注ぎ口液体流路を含む注ぎ口であって、前記注ぎ口液体流路が前記ベース液体流路から注ぎ口の供給端部に添加剤とベース液体の混合物の流れを許容するものである、前記注ぎ口と、
前記添加剤流路内に配置され、前記添加剤流路内から前記ベース液体流路への添加剤の供給を変化させる添加剤計量部と、
ユーザが前記添加剤計量部を調整可能な添加剤計量調整器であって、前記カートリッジ基部に対して回転可能に移動するように取り付けられ、前記ベース液体に混合される前記添加剤の量を調整する添加剤計量調整器と
を備える添加剤カートリッジ。
【請求項２】
前記添加剤計量部が前記注ぎ口の表面を含み、前記添加剤計量調整器が前記ユーザによって把持され回転可能な前記注ぎ口の上部を含む、請求項１に記載の添加剤カートリッジ。
【請求項３】
前記添加剤計量部は、前記カートリッジ基部に画定される少なくとも一つのポートを含んで構成され、前記ポートは、前記添加剤流路の少なくとも一部を画定する、請求項１に記載の添加剤カートリッジ。
【請求項４】
前記注ぎ口が前記添加剤計量調整器として機能し、前記カートリッジ基部と協働して前記カートリッジ基部に対して回転可能であり、前記添加剤流路から前記ベース液体流路へと流れる添加剤の流れを調整する、請求項１に記載の添加剤カートリッジ。
【請求項５】
前記添加剤リザーバーは、前記カートリッジ基部の内部環状壁と外部環状壁との間の環状空間として画定され、前記添加剤リザーバーから前記ベース液体流路に対する計量及び制御された添加剤の流れを提供する添加剤計量ポートが、前記内部環状壁にマトリクス状に形成される、請求項１に記載の添加剤カートリッジ。
【請求項６】
前記注ぎ口は、前記カートリッジ基部内の対応する環状部内に嵌合する環状脚を含み、前記添加剤計量部は、前記注ぎ口の前記環状脚に、開口の一以上を選択的に閉塞する表面を更に含む、請求項５に記載の添加剤カートリッジ。
【請求項７】
前記ベース液体の逆流を防止する逆止弁を更に含む、請求項１に記載の添加剤カートリッジ。
【請求項８】
前記注ぎ口液体流路内に配置され、前記添加剤及びベース液体の混合物の混合を促進する乱流生成突起部を更に含む、請求項１に記載の添加剤カートリッジ。
【請求項９】
前記カートリッジ基部に対応するねじ式保持部を更に備え、前記ねじ式保持部がねじ式カートリッジ保持用環状部品を含む前記容器キャップに固定される、請求項１に記載の添加剤カートリッジ。
【請求項１０】
前記注ぎ口は、前記カートリッジ基部内で回転可能であり、前記注ぎ口は、複数の計量調整戻り止めを含み、前記カートリッジ基部は、前記計量調整戻り止めと係合するようになっており、前記カートリッジ基部に対して前記注ぎ口を一定の回転位置に固定する干渉突出部を含む、請求項１に記載の添加剤カートリッジ。
【請求項１１】
ベース液体を収容する内部空間を有するベース液体容器と、前記ベース液体がカートリッジを通過するときに所望量の添加剤をベース液体に供給するためのカートリッジとを備え、ユーザがベース液体と混合される添加剤の量を調整することを可能にするための調整可能な添加剤供給システムであって、
前記カートリッジは、
i)  前記ベース液体容器からベース液体が通過するのを許容するように画定されたベース液体流路を有するカートリッジ基部であって、前記ベース液体容器の口部と密封係合される容器キャップに固定して保持するための保持カラーと、前記添加剤の供給源を収容するための前記カートリッジ基部上の添加剤リザーバーとを含み、前記添加剤リザーバーから前記ベース液体流路への添加剤の流れを可能にするための添加剤流路をさらに画定する前記カートリッジ基部と、
ii)  前記カートリッジ基部と協働し、前記カートリッジ基部内に画定された注ぎ口液体流路を含む注ぎ口であって、前記注ぎ口液体流路が前記ベース液体流路から注ぎ口の供給端部に添加剤とベース液体の混合物の流れを許容するものである、前記注ぎ口と、
iii)  前記添加剤流路内に配置され、前記添加剤流路から前記ベース液体流路への添加剤の供給を変化させる添加剤計量部と、
iv)  ユーザが前記添加剤計量部を調整可能な添加剤計量調整器であって、前記カートリッジ基部に対して回転可能に移動するように取り付けられ、前記ベース液体に混合される前記添加剤の量を調整する添加剤計量調整器と
を備える添加剤供給システム。
【請求項１２】
前記添加剤計量部が前記注ぎ口の表面を含み、前記添加剤計量調整器が前記ユーザによって把持され回転可能な前記注ぎ口の上部を含む、請求項１１に記載の添加剤供給システム。
【請求項１３】
前記添加剤計量部は、前記カートリッジ基部に画定される少なくとも一つのポートを含んで構成され、前記ポートは、前記添加剤流路の少なくとも一部を画定する、請求項１１に記載の添加剤供給システム。
【請求項１４】
前記注ぎ口が前記添加剤計量調整器として機能し、前記カートリッジ基部と協働して前記カートリッジ基部に対して回転可能であり、前記添加剤流路から前記ベース液体流路へと流れる添加剤の流れを調整する、請求項１１に記載の添加剤供給システム。
【請求項１５】
前記添加剤リザーバーは、前記カートリッジ基部の内部環状壁と外部環状壁との間の環状空間として画定され、前記添加剤リザーバーから前記ベース液体流路に対する計量及び制御された添加剤の流れを提供する添加剤計量ポートが、前記内部環状壁にマトリクス状に形成される、請求項１１に記載の添加剤供給システム。
【請求項１６】
前記注ぎ口は、前記カートリッジ基部内の対応する環状部内に嵌合する環状脚を含み、前記添加剤計量部は、前記注ぎ口の前記環状脚に、開口の一以上を選択的に閉塞する表面を更に含む、請求項１５に記載の添加剤供給システム。
【請求項１７】
前記ベース液体の逆流を防止する逆止弁を更に含む、請求項１１に記載の添加剤供給システム。
【請求項１８】
前記注ぎ口液体流路内に配置され、前記添加剤及びベース液体の混合物の混合を促進する乱流生成突起部を更に含む、請求項１１に記載の添加剤供給システム。
【請求項１９】
前記カートリッジ基部に対応するねじ式保持部を更に備え、前記ねじ式保持部がねじ式カートリッジ保持用環状部品を含む前記容器キャップに固定される、請求項１１に記載の添加剤供給システム。
【請求項２０】
前記注ぎ口は、前記カートリッジ基部内で回転可能であり、前記注ぎ口は、複数の計量調整戻り止めを含み、前記カートリッジ基部は、前記計量調整戻り止めと係合するようになっており、前記カートリッジ基部に対して前記注ぎ口を一定の回転位置に固定する干渉突出部を含む、請求項１１に記載の添加剤供給システム。
【発明の詳細な説明】
【技術分野】
【０００１】
［関連出願の相互参照］
本出願は、２０１４年１１月２１日に出願の米国仮出願第６２／０８３，１２９号「計量可能な添加剤のカートリッジシステム」に適用されるすべての条項、法律及び条約に基づく優先権の利益を主張するものであり、その全体が参照することにより本明細書に組み込まれる。本出願の要素又は主題、又は上記仮出願の明細書、請求項又は図面の一部が他の態様で本出願に含まれていない場合、適用される規則、手続き又は法律の一部又は全体の規定によって、その要素、主題又は一部は、参照することにより本出願に組み込まれる。
【０００２】
本発明は、飲料及びその他の製品のための液体の保存、分配及び供給システムに関する。より具体的には、本発明は、水等のベース液体がカートリッジを通過する際に、香料濃縮物や栄養補給剤、ビタミン補助食品等の添加剤を、制御され調整可能な量だけベース液体に加えるためにカートリッジを利用する分配及び供給システムに関する。また、本発明は、カートリッジ及び容器システムに関し、ある供給されるベース液体に対して、それぞれが異なる添加剤を有する複数のカートリッジをユーザが使用できるようにし、容器（すなわち、水筒（water bottle））内のベース液体を純粋で混合されていない状態のままにおきながら、ユーザが摂取や他の用途のために添加剤をベース液体と混ぜ合わせることができるようにする。
【背景技術】
【０００３】
従来技術は、ベース液体に添加剤を加えるための様々な装置を含む。このような装置は、米国特許第７，３０６，１１７号に記載されているようなプレミックスシステムを含む。当該プレミックスシステムでは、所定量の添加剤が容器内のベース液体中に分配され、摂取前に混合される。従来技術のシステムはまた、容器からベース液体が供給される際に添加剤がベース液体に提供される装置を含む。このような供給システムとして、米国特許第８，２３０，７７７号には、固形のサプリメントを含むサプリメント領域（supplement area）をベース液体が通過する供給システムが開示され、また、米国特許第８，４１３，８４４号には、フィルタと、水差しから水を注ぐ際に添加剤が分配される添加剤チャンバとを有する水差し（ピッチャー）が開示されている。
【０００４】
[課題を解決するための手段]
本発明の一態様は、ベース液体がカートリッジを通過する際に、該ベース液体に対し添加剤の調整可能な計量を提供する計量可能な添加剤のカートリッジを提供する。カートリッジは、スポーツボトル又は既製の水筒のような携帯用容器に容易に適合させることができる。カートリッジは、ベース液体がカートリッジを通過する際に、ベース液体に添加剤を提供するので、カートリッジと共に使用される容器内のベース液体を混合されていない純粋な状態に保ちながら、添加剤とベース液体との混合物を提供することができる。更に、本発明の他の態様では、ある容器及びある供給されるベース液体と共に使用可能で、それぞれが異なる添加剤（すなわち、香料（flavor））を有する、複数のカートリッジの使用を可能にする。本発明の態様によるモジュール式添加剤カートリッジは、供給されるベース液体を保存する容器と共に使用され、消費者あるいはユーザが、異なる香料や異なるサプリメントの組み合わせ等の様々な添加剤を、同一のベース液体と共に経験することを可能にする。
【０００５】
本発明の更なる他の態様は、カートリッジ内に流入するベース液体を濾過するための一体型フィルタを有する添加剤カートリッジを提供する。
【０００６】
本発明の更なる他の態様は、長期保存用に封止され、購入や使用前の完全性、品質及び／又は未開封であることをユーザあるいは消費者に対して明示するために封止された添加剤カートリッジを提供する。
【０００７】
本発明の更なる他の態様は、ベース液体に添加される添加剤量の視覚的及び触覚的なインジケータを複数有する添加剤カートリッジを提供する。
【０００８】
本発明の更なる他の態様は、カートリッジと容器の組み合わせを提供し、容器は、当該容器上に予備の添加剤を計量可能なカートリッジを保持する要素を含む。
【０００９】
別途の定義がされない限り、本明細書で使用される全ての技術用語及び科学用語は、本発明が関連する技術分野の当業者によって一般的に理解されているものと同じ意味を有している。本明細書に記載されたものと同様の他の実施形態、方法及び材料を、本発明を実施するために使用することができるが、適切かつ例示的な実施形態、方法及び材料を以下に記載する。本明細書で言及された全ての刊行物、特許出願、及び他の参考文献は、その全内容が参照することにより本明細書に組み入れられる。矛盾する場合は、定義を含む本明細書に従うものとする。更に、材料、方法及び実施例は、例示的なものに過ぎず、決して限定することを意図するものではない。本発明の一以上の実施形態の詳細は、添付の図面及び以下で詳述される。本発明の他の特徴、目的及び利点は、明細書、図面及び特許請求の範囲の記載から明らかになるであろう。
【図面の簡単な説明】
【００１０】
本発明の上記及びその他の付随する利点及び特徴は、添付の図面と併せて以下の詳細な説明から明らかになるであろう。ここでは、同様の参照番号が、全体を通して同様の要素を表す。説明及び実施形態は、例示的な実施例として意図されており、添付の特許請求の範囲に記載されている本発明の範囲を限定するものではないことは理解されよう。
【００１１】
【図１】図１は、本発明の一態様による例示的なカートリッジ及び容器システムの斜視図である。
【図２】図２は、図１に記載のカートリッジ及び容器システムの上面図である。
【図３】図３は、図１に記載のカートリッジ及び容器システムの底面図である。
【図４】図４は、図１に記載のカートリッジ及び容器システムの断面図である。
【図５】図５は、図１に記載のカートリッジ及び容器システムの分解斜視図である。
【図６】図６は、図１に記載のカートリッジ及び容器システムの底面斜視図である。
【図７】図７は、本発明の一態様による例示的なカートリッジの斜視図である。
【図８】図８は、図７に記載のカートリッジの側面図である。
【図９】図９は、図７に記載のカートリッジの上面図である。
【図１０】図１０は、図７に記載のカートリッジの底面図である。
【図１１】図１１は、組み付け構造における図７に記載のカートリッジの断面図である。
【図１２】図１２は、図７に記載のカートリッジの分解断面図である。
【図１３】図１３は、図７に記載のカートリッジの分解斜視図である。
【図１４】図１４は、図７に記載のカートリッジの図１１における１４−１４面内における上面断面図である。
【発明を実施するための形態】
【００１２】
図１及び図２を参照すると、本発明の一態様による例示的な計量可能な添加剤カートリッジ１００は、容器本体とねじにより密封係合されるキャップ２０を有する携帯可能な水筒（water bottle）等の容器１０と組み合わせて使用される。キャップ２０は、一体に形成される運搬ハンドル２４を含むことができる。容器１０の内部への空気の流入を可能にするため、キャップ２０には一以上の通気孔２１が設けられている。
【００１３】
本発明の更なる態様による、図１に記載の容器１０の底面図である図３を更に参照すると、計量可能な添加剤カートリッジと組み合わせて使用される容器は、一以上の予備カートリッジ１００Ｓを容器にしっかりと固定するための手段を含むことができる。
【００１４】
図４及び図５では、本発明の態様による例示的な容器及びカートリッジシステムの主要な構成要素を更に詳細に示す。使用中のカートリッジ１００は、カートリッジ基部１２０の対応するねじ式保持部１２１が固定されるねじ式カートリッジ保持用環状部品２２を含む容器キャップ２０に固定されている。理解されるように、カートリッジ１００のキャップへの確実な密封係合を提供するために、スナップフィット要素、Ｏリング等のその他の手段を使用することができる。
【００１５】
同様に、更に図６を参照すると、予備カートリッジ１００Ｓは、容器１０の底部に固定され、該底部に形成された凹部１１内に収容される。予備カートリッジ保持用環状部品１４も容器の底部に形成又は固定され、予備カートリッジ１００Ｓの基部１２０におけるねじ式保持部１２１の螺合を提供する。係合用ギザギザ（gripping teeth）１６のような幾つかのグリッピング要素は、容器が表面で滑ることを防止するために、容器１０の底部に形成される。
【００１６】
フィルタアセンブリ（特に、図４及び図５を参照）は、容器からのベース液体の流入を可能にするために少なくとも一つの流路４８を有するフィルタハウジング４２と、キャップ２０の裏面にねじ式フィルタ保持カラー２１（図４参照）と螺合するためのねじ式カラー４４と、を含む。ベース液体が容器からフィルタアセンブリを通ってカートリッジ１００に流れる際に、容器１０に含まれるベース液体を濾過するために、中実又は環状の多孔質の活性炭濾過エレメント４６がフィルタハウジング４２内に収容されている。液体が分配される際に、その流出を防止しながら容器内への空気の流入を可能にするために、シリコーン製吸気弁２６がキャップ内に設けられている。
【００１７】
図７から図１４は、本発明の態様による例示的なカートリッジ１００を示す。カートリッジ１００は、カートリッジ基部１２０にスナップフィット（snap fit）され、後述する計量可能なカートリッジよって提供される香味の強さを示すための視覚的及び触覚的な複数のインジケータ１２３を備えるテーパー状のねじ式保持カラー１２１（collar）を有する、注ぎ口封止キャップ１６０を含む。注ぎ口封止キャップ１６０、及びカートリッジ１００の全体は、購入前及び使用前にカートリッジの品質、安全性及び不正開封のない状態を保証するために、収縮包装された壊れやすいプラスチック膜等の不正開封防止要素（図示省略）をカートリッジ全体に備えている。
【００１８】
特に図１１及び図１２を参照すると、カートリッジ１００は、概して、注ぎ口１４０と、カートリッジ基部１２０と、注ぎ口封止キャップ１６０の３つの構成要素を備えている。注ぎ口１４０及びカートリッジ基部１２０は協働して、図１１の矢印Ｂによって参照されるベース液体流路への、カートリッジからの計量可能な添加剤の流れを提供する。また、図１１の矢印Ａによって参照される添加剤流路が、カートリッジ内に画定される（注ぎ口脚１５０によって添加剤流路は塞がれている）。ベース液体の流れと添加剤の流れは、図１１の矢印「ＡＢ」で参照される添加剤及びベース液体の混合流路内で混合される。
【００１９】
カートリッジ基部１２０は、環状添加剤リザーバー１２８を画定する、内部環状壁１２２、外部環状壁１２６及びカートリッジ底壁１３３を含む。当該底壁１３３は、ベース液体を、例えば上述したフィルタアセンブリの流出口からカートリッジ内に流入させる一以上の流入口１３０（図１０も参照）を有する。ベース液体逆止弁１３５は、底壁１３３に固定されることができ、カートリッジ１００の底壁１３３を通って開口１２５で摩擦により固定される脚部を備えた可撓性シリコーンゴム「ボタン」形状要素を含む。逆止弁１３５は、カートリッジ１００内へのベース液体の一方向流れのみを確実にし、フィルタアセンブリ及び／又は容器１０への逆流を防止する。理解されるように、流入口１３０の寸法は、逆止弁１３５の材質及び寸法と同様に、カートリッジ１００を通るベース液体が適切に制御された流量となるように変更可能である。
【００２０】
添加剤リザーバー１２８からベース液体流路に対する計量及び制御された添加剤の流れを提供するため、以下で詳述するように、一以上の添加剤計量ポート１２４がカートリッジ基部１２０の内部環状壁１２２に形成される。計量ポート１２４は、内部環状壁１２２の一部の周囲にマトリクス状に広がる。内部環状壁１２２は、注ぎ口１４０が注ぎ口受容環状部１２７の内部で回転運動できるように、注ぎ口１４０を受容して固定するための注ぎ口受容環状部１２７の一部を画定する。以下に説明するように、干渉突出部又はタブ１２９は、注ぎ口１４０上の計量調整戻り止めと係合するために、カートリッジ基部１２０に形成される。
【００２１】
注ぎ口１４０は、上部出口部１４２と、戻り止め部１４４と、環状脚１５０を含む。カートリッジ基部１２０を組み立てる際に、環状脚１５０は、内部環状壁１２２によって画定される環状部１２７内に延在する。環状脚１５０は、その脚部分に形成されて脚部分周囲の一部に延びる添加剤流スロット１５４を有する添加剤計量部１５２を含む。注ぎ口１４０がカートリッジ基部１２０に組み付けられると、注ぎ口１４０は、添加剤計量部１５２が計量ポート１２４を通る流れを許可又は妨げることができるように、矢印Ｒ（図１３参照）方向に回転可能となる。より詳細には、計量部は、脚１５０の表面が計量ポート１２４を完全に塞ぐ位置まで回転することができ（図１１参照）、この場合、添加剤はベース液体流路に供給されない（これは、例えば、カートリッジの「水のみ」の設定に相当する）。更に、添加剤の流入を所望する場合、注ぎ口１４０及び計量部１５２は、スロット１５４が計量ポート１２４の一部又は全てに隣接して位置するように回転され、それに対応する量（レベル）の添加剤の流れが計量ポート１２４を通過してベース液体流路内へ提供される。このように、ベース液体と混合される添加剤の量は、注ぎ口１４０がカートリッジ基部内で回転することによって調整される。
【００２２】
本発明の他の態様によれば、襟部（collar:環状部）１２１は、カートリッジ基部内における注ぎ口１４０の様々な回転位置に設けられた添加剤の流れ設定に対応する視覚的及び触覚的なインジケータを有する。インデックス又は他のインジケータ１５８（図１３参照）は、所定の回転位置に関して、ベース襟部１２１の複数のインジケータ１２３の何れか一つと位置が合うように、注ぎ口１４０に設けられている。また、添加剤流路の全閉位置に対応して、「水のみ」を示すインジケータ１５９をカラー１２１に設けてもよい。
【００２３】
本発明の他の態様によれば、カートリッジ基部１２０及び注ぎ口１４０には、カートリッジ基部に対して注ぎ口１４０の正回転位置を確保する要素が設けられている。更に、図１１における１４−１４面内におけるカートリッジ基部１２０及び注ぎ口１４０の上面断面図である図１４を参照すると、干渉タブ又は突出部１２９が、注ぎ口１４０の戻り止め部１４４に形成された環状スロット１４６内に突出している。このスロットは、突出部１２９と係合する停止面１４９（図１４参照）を提供するために、戻り止め部１４４の周囲に部分的に設けられて、カートリッジ基部１２０内の注ぎ口１４０の回転を制限する。一連の突出するタブ又は戻り止め要素１４５は、突出部１２９と摩擦係合を生じるように延在する（説明を明確にするために、図１４では、突出部１２９が戻り止め要素１４５と接触していない場合を示しており、ある程度の重なり、変形及び摩擦が生じることが理解される）。干渉タブ１２９及び戻り止め要素１４５との相互作用によって、カートリッジ基部１２０内における注ぎ口１４０の正回転位置を提供する。これらの位置は、ユーザが基部１２０内における注ぎ口１４０の回転位置及びベース液体に混合される添加剤の対応するレベルを読み取ることができるように、襟部１２１の複数のインジケータと一致している。
【００２４】
カートリッジ基部１２０のスレッド付きの保持襟部１２１には、香味強度の上昇を示す複数のインジケータが設けられている（すなわち、サイズが増加する複数の垂直な突起が設けられている）。注ぎ口上の対応するインデックス又はポインタ１５８は、基部１２０内の注ぎ口１４０の回転位置を示す。本発明の一態様によれば、カートリッジには、液滴形状のインジケータ１５９によって示されるように、「水のみ」のモードが設定されており、カートリッジ基部１２０内の脚１５０の回転位置に対応して、香料計量ポート１２４が香料計量部１５２によって完全に塞がれる。このモードでは、消費者に必要とされる複雑な再構成を行うことなく、無香料で濾過したベース液体（水）が容器から供給される。一方向バルブ又は逆止弁１３５は、水及び／又は香料濃縮物が容器内部に逆流するのを防止する。
【００２５】
理解されるように、注ぎ口脚１５０を通過するベース液体の流れは、添加剤が計量ポート１２４を通過して流れることで、制御された方法でベース液体に添加剤が混合されるようになる。ユーザは、注ぎ口１４０をカートリッジ基部内で回転させることによって、ベース液体に添加させる添加剤の量を調節することができる。計量ポート１２４の寸法は、添加剤の適切な流れを提供するように選択することができる。約０．０３インチ（７．６２×１０−４メートル）の直径を有する計量口は、添加剤リザーバーにおける添加剤液体の保持（非漏水）を可能にすると共に、計量口を通過してリザーバーへ流れ込むベース液体の流れを防止する一方で、添加剤液体の適切な計量を提供する。
【００２６】
理解されるように、計量口の直径は、添加剤液体の粘度及び流量を適切にする他のパラメータによって変化する。ベース液体内での添加剤の混合及び均一的な希釈を促進するために、乱流生成突起部１５１が流路に設けられる。
【００２７】
逆止弁１３５及び流入口１３０は、容器圧力の範囲（すなわち、可撓性容器の場合、ユーザが圧迫することによって引き起こされる容器圧力の範囲）にわたってベース液体の調整された流れを提供するために適切な寸法に構成される。カートリッジを通過するベース液体の流れを更に制御するために、容器へのユーザによる圧迫がカートリッジを通過するベース液体の流れ又は添加剤の流れに影響を与えないようにするか、容器が倒れた状態で流体が重力によって容器から排出され及び流体が均一な速度で流れ出るように、容器１０は剛性（すなわち、実質的に圧迫不可能で可撓性ではない）容器１０として提供され得る。キャップ２０（図３参照）における吸気バルブ２６は、容器内部からベース液体が流れる際に、空気を補充する（すなわち、真空を防止する）。吸気バルブ２６は、キャップ２０における開口内で摩擦的及び／又は圧縮的に嵌合する脚部と、容器へ空気を流入させる一方で、容器からベース液体が流出しないように一以上の通気孔２１を封止する弁当り面とを備えたシリコーン製の「ボタン」形状の弁であってもよい。
【００２８】
更に理解されるように、適切な熱可塑性ポリマーは、ポリエチレンテレフタレート（ＰＥＴ）、ポリカーボネート、及び高密度ポリエチレン（ＨＤＰＥ）等を含む前述の複数の要素を形成するために用いられる。
【００２９】
本発明の様々な態様におけるその他の変更及び変形の実施態様は、当業者には容易に明らかであり、本発明は本明細書に記載されている特定の実施形態に限定されないことを理解されたい。したがって、本明細書に記載されている概念の趣旨及び範囲内において、任意の及び全ての変更、変形又は等価物が本発明に含まれることが意図される。
【図１】
0006730298.tif 000002
【図２】
0006730298.tif 000003
【図３】
0006730298.tif 000004
【図４】
0006730298.tif 000005
【図５】
0006730298.tif 000006
【図６】
0006730298.tif 000007
【図７】
0006730298.tif 000008
【図８】
0006730298.tif 000009
【図９】
0006730298.tif 000010
【図１０】
0006730298.tif 000011
【図１１】
0006730298.tif 000012
【図１２】
0006730298.tif 000013
【図１３】
0006730298.tif 000014
【図１４】
0006730298.tif 000015